(57)【要約】  フォークリフト又は他の作業機用の油圧ポンプの放射ノイズ低減方法が開示されている。この方法は、ポンプの吐出量がゼロ吐出位置にあり、かつ、オペレータが油圧分岐回路のいずれからも流量を要求していないときの間に有効になるノイズ制御アルゴリズムを開始すること含む。ノイズ制御アルゴリズムが有効になったとき、他の全ての油圧分岐回路の油圧流体の圧力と比較して最も低い油圧流体の圧力を有する油圧分岐回路に関連した制御バルブアセンブリが開放する一方、残された制御バルブは、閉位置に保持又は位置決めされる。他の実施形態において、ドレンバルブアセンブリが設けられ、これは、ノイズ制御アルゴリズムが作動されているとき、開放される。【選択図】図２
2017522480.tif 000002
【特許請求の範囲】
【請求項１】
油圧ポンプの放射ノイズ低減方法であって、
（ａ）複数の油圧分岐回路に選択的に流体接続する可変容量ポンプを有する油圧システムを設け、前記油圧分岐回路のそれぞれは、制御バルブアセンブリを有し、油圧流体圧力を有する油圧流体を収容し、
（ｂ）前記可変容量ポンプの吐出量がゼロ吐出位置にあり、かつ、オペレータが前記油圧分岐回路のいずれからも流量を要求していないことを判断し、
（ｃ）前記可変容量ポンプの吐出量がゼロ吐出位置のままであり、かつ、オペレータが前記油圧分岐回路のいずれからも流量を要求していない限り、有効になるノイズ制御アルゴリズムを開始し、
（ｄ）前記ノイズ制御アルゴリズムは、他の全ての油圧分岐回路の油圧流体圧力と比較して最も低い油圧流体の圧力を有する油圧分岐回路に関連する制御バブルアセンブリを開放する一方、残りの全ての制御バルブアセンブリが確実に閉位置にする、
ステップを含むことを特徴とする油圧ポンプの放射ノイズ低減方法。
【請求項２】
最も低い油圧流体圧力を有する前記油圧分岐回路に関連する前記制御バブルアセンブリを開放するステップは、最も低い油圧流体圧力を有するように予め定められた前記制御バルブアセンブリを開放することを含むことを特徴とする請求項１に記載の油圧ポンプの放射ノイズ低減方法。
【請求項３】
最も低い油圧流体圧力を有する前記油圧分岐回路に関連する前記制御バブルアセンブリを開放するステップは、各分岐回路の油圧を比較することを含むことを特徴とする請求項１に記載の油圧ポンプの放射ノイズ低減方法。
【請求項４】
前記油圧システムを設けるステップは、複数の前記油圧分岐回路のそれぞれに圧力センサを設けることを含むことを特徴とする請求項１に記載の油圧ポンプの放射ノイズ低減方法。
【請求項５】
前記油圧システムを設けるステップは、第１分岐回路及び第２分岐回路を設けること含み、前記第２分岐回路がアキュムレータを含むことを特徴とする請求項１に記載の油圧ポンプの放射ノイズ低減方法。
【請求項６】
前記油圧システムを設けるステップは、前記第１分岐回路用の第１制御バルブアセンブリと、前記第２分岐回路用の第２制御バルブアセンブリと、を設けることを含み、前記第１制御バルブアセンブリが閉位置に付勢され、前記第２制御バルブアセンブリが開位置に付勢されることを特徴とする請求項５に記載の油圧ポンプの放射ノイズ低減方法。
【請求項７】
最も低い油圧流体圧力を有する前記油圧分岐回路に関連する前記制御バブルアセンブリを開放するステップは、前記第１制御バルブアセンブリを開放することを含むことを特徴とする請求項６に記載の油圧ポンプの放射ノイズ低減方法。
【請求項８】
前記油圧システムを設けるするステップは、第１分岐回路と、第２分岐回路と、第３分岐回路と、を設けることを含むことを特徴とする請求項４に記載の油圧ポンプの放射ノイズ低減方法。
【請求項９】
前記油圧システムを設けるステップは、前記第１分岐回路用の第１制御バルブアセンブリを設け、前記第２分岐回路用の第２制御バルブアセンブリを設け、前記第３分岐回路用の第３制御バルブアセンブリを設けることを含み、前記第１、第２及び第３制御バルブアセンブリは、閉位置に付勢されることを特徴とする請求項８に記載の油圧ポンプの放射ノイズ低減方法。
【請求項１０】
油圧ポンプの放射ノイズ低減方法であって、
（ａ）複数の油圧分岐回路に選択的に流体接続する可変容量ポンプを有する油圧システムを設け、それぞれの前記油圧分岐回路は、制御バルブアセンブリを有し、油圧流体圧力を有する油圧流体を収容し、
（ｂ）可変容量式ポンプを油圧流体リザーバに選択的に流体接続するように配置されて位置付けされるドレンバルブアセンブリを設け、
（ｃ）前記可変容量ポンプの吐出量がゼロ吐出位置にあり、かつ、オペレータが前記油圧分岐回路のいずれからも流量を要求していないことを判断し、
（ｄ）前記可変容量ポンプの吐出量がゼロ吐出位置のままであり、かつ、オペレータが前記油圧分岐回路のいずれからも流量を要求していない限り、有効になるノイズ制御アルゴリズムを開始し、
（ｅ）前記ノイズ制御アルゴリズムは、前記ドレンバルブアセンブリを開放する一方、前記油圧分岐回路に関連する前記制御バルブアセンブリを確実に閉位置にする、
ステップを含むことを特徴とする油圧ポンプの放射ノイズ低減方法。
【請求項１１】
油圧システムを設けるステップは、第１分岐回路用の第１制御バルブアセンブリと、第２分岐回路用の第２制御バルブアセンブリと、を設けることを含み、前記第１及び第２制御バルブアセンブリは、閉位置に付勢されることを特徴とする請求項１０に記載の油圧ポンプの放射ノイズ低減方法。
【請求項１２】
油圧システムを設けるステップは、第３分岐回路用の第３制御バルブアセンブリを設けることを含み、前記第３制御バルブアセンブリは、閉位置に付勢されることを特徴とする請求項１１に記載の油圧ポンプの放射ノイズ低減方法。
【請求項１３】
フォークリフト油圧ポンプの放射ノイズ低減方法であって、
（ａ）第１油圧分岐回路及び第２油圧分岐回路に選択的に流体接続する可変出力ポンプを有する油圧システムを備えるフォークリフトを設け、
ｉ．前記第１油圧分岐回路は、第１制御バルブアセンブリと、少なくとも前記フォークリフトのリフト及びチルト機能に動力を与える作業回路と、を含み、
ｉｉ．前記第２油圧分岐回路は、第２制御バルブアセンブリと、アキュムレータと、前記フォークリフトの駆動機能に動力を与える推進回路と、を含み、
（ｂ）ポンプ出力が略ゼロ流量状態であること、かつ、オペレータが前記油圧分岐回路のいずれからも流量を要求していないことを判断し、
（ｃ）前記可変出力ポンプの吐出量がゼロ吐出位置のままであり、かつ、オペレータが前記油圧分岐回路のいずれからも流量を要求していない限り、有効になるノイズ制御アルゴリズムを開始し、
（ｄ）前記ノイズ制御アルゴリズムは、最小限のポンプ流量をポンプからリザーバに戻すことを可能にするように前記第１制御バルブアセンブリを開放する一方、前記第２制御バルブアセンブリを確実に閉位置にする、
ステップを含むことを特徴とするフォークリフト油圧ポンプの放射ノイズ低減方法。
【請求項１４】
油圧システムを備えるフォークリフトを設けるステップは、前記第１制御バルブアセンブリが閉位置に付勢され、前記第２制御バルブアセンブリが開位置に付勢されることを含んでいることを特徴とする請求項１３に記載のフォークリフト油圧ポンプの放射ノイズ低減方法。
【請求項１５】
前記第１及び第２制御バルブアセンブリは、それぞれが付勢ばね及びアクチュエータを含むことを特徴とする請求項１４に記載のフォークリフト油圧ポンプの放射ノイズ低減方法。
【請求項１６】
前記第１及び第２制御バルブアセンブリのそれぞれの前記アクチュエータは、ソレノイドタイプの制御バルブであることを特徴とする請求項１５に記載の油圧ポンプのフォークリフト放射ノイズ低減方法。
【請求項１７】
更に、（ａ）前記第１及び第２制御バルブアセンブリに接続する電子コントローラを設け、該電子コントローラは、前記ノイズ制御アルゴリズムを実行するように構成されるステップを含むことを特徴とする請求項１３に記載のフォークリフト油圧ポンプの放射ノイズ低減方法。
【請求項１８】
前記電子コントローラを設けるステップは、更に、前記作業回路及び前記推進回路に関連するオペレータの入力を受取る電子コントローラを設けることを含むことを特徴とする請求項１７に記載のフォークリフト油圧ポンプの放射ノイズ低減方法。
【請求項１９】
前記作業回路及び前記推進回路に関連するオペレータの入力を受取る前記電子コントローラを設けるステップは、リフトレバー、チルトレバー及びサイドシフトレバーから入力を受取ることを含むことを特徴とする請求項１８に記載のフォークリフト油圧ポンプの放射ノイズ低減方法。
【請求項２０】
前記可変出力ポンプを設けるステップは、斜板を有する可変容量アキシアルピストンポンプを設けることを含むことを特徴とする請求項１３に記載のフォークリフト油圧ポンプの放射ノイズ低減方法。
【発明の詳細な説明】
【技術分野】
【０００１】
関連出願の相互参照
本出願は、ＰＣＴ国際特許出願として、２０１５年５月６日に出願され、２０１４年５月６日に出願された米国特許出願第６１／９８９，２１５号の優先権を主張し、その開示は、参照することにより、本書に含まれる。
【背景技術】
【０００２】
フォークリフト、ホイールローダ、トラックローダ、掘削機、バックホー、ブルドーザ及びテレハンドラー等の作業機が知られている。作業機は、パレット、ゴミ及び／又は瓦礫等の材料を移動させるのに使用することができる。一般的に、作業機は、この作業機に連結された作業機具（例えば、フォーク）を含んでいる。作業機に取付けられた作業機具は、油圧システムによって駆動される。油圧システムは、ディーゼルエンジン等の原動機によって駆動される油圧ポンプを含んでいる。いくつかの用途では、油圧ポンプは、作業機の作業機能及び駆動機能の両方に交互に駆動力を与える。このようなシステムのいくつかの動作モードにおいて、過剰な又は望ましくないノイズが油圧ポンプによって発生される。改良が望まれる。
【発明の概要】
【０００３】
フォークリフト又は他の作業機用の油圧ポンプの放射ノイズ低減方法が開示されている。一のステップでは、複数の油圧分岐回路に選択的に流体接続する可変容量ポンプを有する油圧システムを設け、油圧分岐回路のそれぞれは、制御バルブアセンブリを含み、油圧流体圧力を有する油圧流体を収容している。別のステップでは、ポンプの吐出量がゼロ吐出位置にあること、及び、オペレータが油圧分岐回路のいずれからも流量を要求していないことを判断することを含む。さらに別のステップでは、ポンプの吐出量がゼロ吐出位置のままであり、オペレータが油圧分岐回路のいずれからも流量を要求していない限り、有効になるノイズ制御アルゴリズムを開始することを含む。ノイズ制御アルゴリズムが有効なとき、この方法は、他の全ての油圧分岐回路の油圧流体の圧力と比較して最も低い油圧流体の圧力を有する油圧分岐回路に関連する制御バルブアセンブリを開放する一方、残された全ての制御バルブアセンブリを確実に閉位置にすることを含む。いくつかの実施形態において、例えば、ハイブリッドフォークリフト作業機に、駆動及び作業機能の両方を駆動する油圧ポンプが設けられ、最も低い圧力の機能に関連するバルブは、ノイズ制御アルゴリズムが作動されているとき、開放されるバルブとすることができる。他の実施形態において、ドレンバルブアセンブリが設けられ、これは、ノイズ制御アルゴリズムが作動されているとき、開放される一方、他のバルブは閉位置に位置決め又は保持される。
【図面の簡単な説明】
【０００４】
非限定的及び非網羅的な実施形態は、必ずしもスケール通りに描かれていないが、以下の図を参照して説明され、他に特定されない限り、様々な図の至るところの同様の参照符号は、同様の部品を指している。
【０００５】
【図１】本開示の原理に従う態様の例である機構を有する作業機の概略図である。
【図２】図１に示す作業機の使用に適した油圧システムの概略図である。
【図３】図２に示す油圧システムの改良型の概略図である。
【図４】図２に示す油圧システムの改良型の概略図である。
【図５】図２、図３及び／又は図４に示す油圧システムに用いられる電子コントローラシステムの概略図である。
【図６】図２、図３及び／又は図４に示す油圧システムの動作方法を示す処理フローチャートである。
【発明を実施するための形態】
【０００６】
様々な実施形態は、図を参照して詳細に記載され、同様の参照符号は、ぞれぞれの図の至る所の同様の部品及びアセンブリを示す。様々な図への言及は、本明細書に添付された特許請求の範囲を限定するものではない。本明細書に記載されたあらゆる例は、限定を意図させるものではなく、単に添付の特許請求の範囲の多くの実施可能な実施形態のいくつかを記載しているにすぎない。
【０００７】
概要
図１に示されるように、作業機３００が示されている。作業機３００は、ワークタスクの多様性を実施するためのワークアタッチメント３０１を含む。一実施形態において、作業機３００は、フォークリフトトラックであり、ワークアタッチメント３０１は、２つのフォークを備えている。しかしながら、当業者は、ワークアタッチメントがあらゆる油圧駆動作業装置であってもよいことを十分に理解するであろう。
【０００８】
また、作業機３００は、少なくとも１つのドライブホイール３０５と、少なくとも１つのステアホイール３０６と、を含むように示されている。特定の実施形態において、１つ以上のドライブホイール３０５は、１つ以上のステアホイール３０６に組み合わさっている。ドライブホイールは、油圧推進回路２０４を介して、ポンプ１２及び油圧モータ３１２に駆動連結するエンジン３０８によって駆動される。ポンプ１２は、エンジン３０８に機械的に結合され、油圧モータ３１２は、油圧システム１０を介してエンジン３０８に結合される。また、モータ３１２は、車軸３１６、ディファレンシャル３１８及び駆動軸３２０を介して１つ以上のドライブホイール３０５に機械的に結合される。
【０００９】
また、一実施形態において、作業回路１０４及びステアリング回路３２４は、油圧システム１０に流体接続される。作業回路１０４は、ワークタスクを実行できるように、ワークアタッチメント３０１を作動させ、ステアリング回路３２４は、作業機３００を所望の方向に選択的に操舵させることを可能にする。
【００１０】
油圧システムの説明
図２を参照して、一実施形態の油圧システム１０が概略図として示されている。図に示すように、油圧システム１０は、少なくとも第１制御バルブアセンブリ１０２を有する第１油圧分岐回路１００と、第２制御バルブアセンブリ２０２を有する第２油圧分岐回路２００と、に加圧流体を供給するように構成されたポンプ１２含む。この実施形態において、ポンプ１２は、可変容量アキシアルポンプとして示されている。しかしながら、ポンプ１２としてオーバーセンターポンプ等の他のタイプのポンプを用いることができる。構成されたように、油圧ポンプ１２は、リザーバ１４からの油圧流体を受取る入口（すなわち、低圧側）を含み、更に、油圧ポンプ１２は、それぞれの油圧供給ライン１８，１９を介して第１及び第２制御バルブアセンブリ１０２，２０２に接続された出口（すなわち、高圧側）を含む。ポンプが回転されたとき、油圧流体は、リザーバ１４からポンプ１２の入口の中に流れ、油圧ポンプ１２の出口から高圧で排出される。
【００１１】
図２を参照して、制御バルブアセンブリ１０２は、作業回路１０４として構成された油圧回路１０４の上流側になるように示され、更に、第２制御バルブアセンブリ２０２は、推進回路２０４として構成された第２油圧回路２０４の上流側になるように示されている。流体は、回路１０４，２０４からそれぞれのリザーバライン２０，２１によって、戻される。
【００１２】
作業回路１０４は、フォークリフトトラックのワークアッタチメント（例えば、フォーク）用のリフトアクチュエータ、チルトアクチュエータ及びサイドシフトアクチュエータ等のアクチュエータを介して作業機の様々な作業機能を制御し、作動させるために設けられる。作業回路１０４の一例は、条件付きロードセンサコントロールと題された米国特許出願公開２０１２／０２０４５４９に説明され、その全体が参照することにより、本書に含まれる。作業回路１０４は、作業機の様々な機能を作動させるために用いられる１つ以上の個々の作業回路部分に対応する１つ以上のバルブ部分で構成されている。作業回路部分は、油圧モータ、及び／又は、油圧アクチュエータを作動させるように構成されている。例えば、作業回路１０４は、フォークリフトのリフト、チルト、及びシフト機能に対応する３つの個々の作業回路部分を含むことができる。
【００１３】
推進回路２０４は、動力を作業機の駆動系に供給させる。図示の実施形態においては、第２油圧分岐回路２００は、ポンプ１２が使用できないとき、又は、駆動系を作動させるために十分な容量を有していないとき、使用する高圧の油圧流体を貯蔵するための機能を備えるアキュムレータ２０６を含む。一実施形態において、推進回路は、１つ以上の油圧モータを含む。
【００１４】
図１に示す実施形態において、第１制御バルブアセンブリ１０２及び第２制御バルブアセンブリ２０２は、閉位置Ａ及び開位置Ｂを有する二位置二方向弁として構成されている。第１制御バルブアセンブリ１０２が開位置Ｂにあるとき、油圧流体は、ポンプ１２から作業回路１０４に流れることが可能である。これに対して、第１制御バルブアセンブリ１０２が閉位置Ａにあるとき、流体は、ポンプ１２から作業回路１０４への流れ及びその逆の流れを阻止される。第２制御バルブアセンブリ２０２が開位置Ｂにあるとき、油圧流体は、ポンプ１２から推進回路２０４、及び／又は、アキュムレータ２０６に流れることが可能である。第２制御バルブアセンブリ２０２が閉位置Ａにあるとき、流体は、ポンプ１２と、推進回路２０４及びアキュムレータ２０６と、の間を流れるのを阻止される。アキュムレータ２０６が第２油圧分岐回路２００にあり、第２油圧分岐回路の圧力が第１油圧分岐回路１００の圧力より大きい場合には、第２制御バルブアセンブリ２０２の閉位置Ａは、油圧流体の第１油圧分岐回路１００を介したアキュムレータ２０６からリザーバ１４への望ましくない流れを阻止する。
【００１５】
一実施形態において、第１制御バルブアセンブリ１０２は、付勢ばね１０２ａ及びアクチュエータ１０２ｂを含む。図に示すように、付勢ばね１０２ａは、第１制御バルブアセンブリ１０２を閉位置Ａに付勢する働きをし、アクチュエータ１０２ｂは、付勢ばね１０２ａの付勢力に抗して、第１制御バルブアセンブリ１０２を開位置Ｂに駆動させる働きをする。しかしながら、付勢及び制御機能は、必要に応じて、バルブ１０２が開位置Ｂに付勢され、閉位置Ａに駆動されるように、逆に配置することができることに留意されたい。一実施形態において、第１制御バルブアセンブリ１０２は、付勢ばね１０２ａ及びアクチュエータ１０２ｂがスリーブ内でスプールの両端に作用するスプールタイプのバルブである。図示の実施形態では、アクチュエータ１０２ｂは、可変力ソレノイドバルブ（すなわち、比例制御弁）又はボイスコイルである。しかしながら、アクチュエータ１０２ｂは、油圧アクチュエータ、若しくは、他のタイプの電気式又は電気−油圧式アクチュエータであってもよいことが理解されるであろう。
【００１６】
一実施形態において、第２制御バルブアセンブリ２０２は、付勢ばね２０２ａ及びアクチュエータ２０２ｂを備える。図に示すように、付勢ばね２０２ａは、第２制御バルブアセンブリ２０２を開位置Ｂに付勢する働きをし、アクチュエータ２０２ｂは、付勢ばね２０２ａの付勢力に抗して、第２制御バルブアセンブリ２０２を閉位置Ａに駆動させる働きをする。しかしながら、付勢及び制御機能は、必要に応じて、バルブ２０２が閉位置Ａに付勢され、開位置Ｂに駆動されるように、逆に配置することができることに留意されたい。一実施形態において、第２制御バルブアセンブリ２０２は、付勢ばね２０２ａ及びアクチュエータ２０２ｂがスリーブ内でスプールの両端に作用するスプールタイプのバルブである。図示の実施形態では、アクチュエータ２０２ｂは、可変力ソレノイドバルブ（すなわち、比例制御弁）又はボイスコイルである。しかしながら、アクチュエータ２０２ｂは、油圧アクチュエータ、若しくは、他のタイプの電気式又は電気−油圧式アクチュエータであってもよいことが理解されるであろう。
【００１７】
図３に示すように、油圧システム１０は、油圧回路６０４で表されるあらゆる数の所望の油圧回路の（“Ｘ”）、例えば、最大２０個の油圧回路を含むことができる。一実施形態において、追加の油圧回路６０４の１つは、作業機３００のステアリング回路３２４にすることができる。油圧回路６０４は、図１の第１及び第２分岐回路１００，２００に示されたものに対して説明したものと同じである制御バルブ６０２及び圧力センサ６１０を備える。例えば、制御バルブアセンブリ６０２は、バルブアセンブリを閉位置Ａと開位置Ｂとの間で移動させるためのアクチュエータ６０２ｂ及び付勢ばね６０２ａを含む。また、１つ以上の油圧回路６０４は、供給ライン２３を介してポンプ１２に流体接続して配置され、更に、排出ライン２５を介してリザーバ１４に流体接続して配置されている。図３に示される概略図は、アキュムレータ２０６を用いない第２油圧回路２０４を示し、制御バルブアセンブリ１０２，２０２，６０２がそれぞれの付勢ばね１０２ａ，２０２ａ，６０２ａによって開位置Ａに付勢されることに留意されたい。
【００１８】
図４を参照して、油圧システム１０は、排出バルブアセンブリ７０２をさらに含む。図に示すように、排出バルブアセンブリ７０２は、閉位置Ａ及び開位置Ｂを有する二位置二方向弁として構成されている。排出バルブアセンブリ７０２が開位置Ｂにあるとき、油圧流体は、ポンプ１２からリザーバ１４に直接流れる。これに対して、排出バルブアセンブリ７０２が閉位置Ｂにあるとき、流体は、排出バルブアセンブリ７０２を介したポンプ１２からリザーバ１４への流れが阻止される。
【００１９】
一実施形態において、排出バルブアセンブリ７０２は、付勢ばね７０２ａ及びアクチュエータ７０２ｂをさらに含む。図に示すように、付勢ばね７０２ａは、排出バルブアセンブリ７０２を閉位置Ａに付勢する働きをし、アクチュエータ７０２ｂは、付勢ばね７０２ａの付勢力に抗して、排出バルブアセンブリ７０２を開位置Ｂに駆動する働きをする。しかしながら、付勢及び制御機能は、必要に応じて、バルブ７０２が開位置Ｂに付勢され、閉位置Ａに駆動されるように、逆に配置することができることに留意されたい。一実施形態において、排出バルブアセンブリ７０２は、付勢ばね７０２ａ及びアクチュエータ７０２ｂがスリーブ内でスプールの両端に作用するスプールタイプのバルブである。図示の実施形態では、アクチュエータ７０２ｂは、可変力ソレノイドバルブ（すなわち、比例制御弁）又はボイスコイルである。しかしながら、アクチュエータ７０２ｂは、油圧アクチュエータ、若しくは、他のタイプの電気式又は電気−油圧式アクチュエータであってもよいことが理解されるであろう。
【００２０】
電子制御システム
油圧システム１０は、作業機３００の要求（例えば、オペレータによる）に応じて様々なモードで作動される。電子制御システムは、監視して、様々なモードを適切な状況で開始させることを可能とする。電子コントローラ５０は、複数のセンサ及び油圧システム１０の動作パラメータを監視して、油圧システム１０を最も適切な動作モードに設定する。
【００２１】
図５を参照して、電子コントローラ５０は、プロセッサ５０Ａと、ＲＡＭ、フラッシュドライブ又はハードドライブ等の非一時的記憶媒体又はメモリ５０Ｂと、を含むように概略図として示されている。メモリ５０Ｂは、実行可能なコード、動作パラメータ、オペレータインターフェイスからの入力を記憶するものであり、プロセッサ５０Ａは、コードを実行するためのものである。また、電子コントローラ５０は、作業回路の動作モードを実施するために用いられる複数の入力及び出力を有するように示されている。図に示すように、電子コントローラ５０は、第１油圧回路圧力入力部５００、第２油圧回路圧力入力部５０２及び“Ｘ”油圧回路圧力入力部５０４を含む。また、電子コントローラは、リフトレバー６２ａ、チルトレバー６２ｂ及びサイドシフトレバー６２ｃ等の１つ以上のレバー６２、アクセルペダル位置６３及びステアリングホイール位置６５を含む複数の作業機入力部５０６を有するように示されている。一実施形態において、１つ又は複数のレバー位置入力は、電子レバーからの直接デジタル信号である。作業レバー６２は、作業回路１０４に関連した１つ又は複数の油圧アクチュエータによる作業動作が要求されるコントローラ５０へのユーザーの指示を提供する。当業者は、多くの他の入力が可能であること理解するであろう。例えば、測定されたエンジンスピードは、電子コントローラ５０に直接入力として与えられてもよく、又は、コントロールエリアネットワーク（ＣＡＮ）を介してコントロールシステムの他の部分から受け取ってもよい。また、測定されたポンプ吐出量、例えば、吐出量フィードバックセンサを介して提供されてもよい。一実施形態において、電子コントローラ５０は、様々な回路１０４，２０４，６０４の入力のために必要な全ての動作入力を含むように構成される。
【００２２】
更に、図５を参照して、電子コントローラ５０からの多数の出力が示されている。１つの出力は、ポンプ１２の出力圧力を調整するポンプ出力コマンド５１０である。一実施形態において、ポンプ圧力の出力は、可変容量アキシアルピストンポンプの斜板の角度を調整することにより制御できる。図示された更なる出力は、第１制御バルブアセンブリポジションコマンド５１２、第２制御バルブアセンブリポジションコマンド５１４、“Ｘ”制御バルブアセンブリポジションコマンド５１６及びドレンバルブポジションコマンド５１８である。他の出力は、同様に可能である。一実施形態において、電子コントローラ５０は、様々な回路１０４，２０４，６０４のために必要とされる全ての作動出力を含むように構成される。
【００２３】
また、電子コントローラ５０は、コントローラ５０の入力及び出力の相互関係を示す多数のマップ又はアルゴリズムを含む。例えば、以下の動作方法のセクションでさらに説明するように、コントローラ５０は、予測されたノイズ出力レベル、及び、センサ１００，２１０及び／又は６１０で測定された圧力に基づいて、バルブ１０２，２０２，６０２及び／又は７０２の位置を制御するためのアルゴリズムを含むことができる。
【００２４】
電子コントローラ５０は、それぞれのモードがいつ開始、及び／又は、終了されるかを決定するためのいくつかの所定の、及び／又は、設定可能なパラメータ及びオフセットを記憶する。本明細書に用いられている「構成可能な」という用語は、コントローラで選択する（すなわち、ディップスイッチを介して）ことができるか、コントローラ内で調整することができるパラメータ及びオフセットの値について言及している。
【００２５】
動作方法
図６を参照して、制御バルブアセンブリ１０２，２０２，６０２及び／又は７０２の動作方法１０００が示されている。図６は、方法のステップを特定の順序で図式的に示しているが、この方法は、必ずしも示された順序で実施されることに限定されることを意図としていないことに留意されたい。それどころか、少なくとも示されたステップのいくつかは、重複、異なる順序、及び／又は、同時に実施することができる。
【００２６】
方法１０００の第１ステップ１００２において、電子コントローラ５０は、油圧ポンプ１２がゼロ吐出状態であると判断し、これは、オペレーターが動作を要求していないので、ポンプ１２が出力の流れを生じさせないように指令されている、又は、様々な制御バルブがゼロ流量である、及び／又は、閉位置にあることを意味している。可変容量アキシアルピストンポンプを利用する油圧システムの実際の実施では、ポンプ１２の完全な又は真のゼロ流量状態が生じず、この状態において、一部の流れがポンプによって生じることを留意されたい。したがって、“ゼロ出力位置”及び“ゼロ吐出位置”の用語は、ほとんど吐出しない又は流れないが、わずかな正の油圧流れがポンプ１２によって生じる油圧ポンプの位置を含む。この状況のため、また、リリーフバルブが油圧システム１０に設けられるように示されていないために、少なくとも１つの制御バルブ１０２，２０２，６０２及び／又は７０２は、最小限の流量がポンプ１２からリザーバ１４に戻ることが可能に少なくとも部分的に開放されていなければならない。
【００２７】
ステップ１００４において、オペレータが油圧分岐回路１００，２００，６００のいずれかからの流れを要求しているかどうかの判断が行われる。一実施形態において、この判断は、電子コントローラ５０への上述の入力５０６に基づいて行われ、この入力は、作業機３００の油圧回路における機能が要求されていないことを示している。流れがいずれかの分岐回路１００，２００，６００から要求されている場合、この方法は、ステップ１００２に戻る。
【００２８】
ステップ１００６において、低ノイズ制御、すなわち、ノイズ低減アルゴリズムは、コントローラ５０内で開始される。ノイズ低減アルゴリズムは、ポンプ１２がゼロ吐出状態のままであり、かつ、オペレータからの要求がない限り、作動したままである。このノイズ低減アルゴリズムは、油圧分岐回路とポンプ１２の入口側との間の高圧力差によって引起されるポンプ１２のノイズを低減させるためのものである。ポンプ１２の入口と出口との差圧が増加することで、ポンプ１２によって生じる放射ノイズが増加することに留意されたい。したがって、ポンプ１２が比較的高圧力の分岐回路に連通されるとき、ポンプのノイズ出力は、ポンプ１２が比較的低圧力の分岐回路に連通されるときに生じるノイズより大きくなる。
【００２９】
ステップ１００８において、最も低い分岐ライン圧力に関連する制御バルブは、最小限のポンプ流量がリザーバに戻るように開放されると共に、そのポンプで作動される分岐回路用の残り全ての制御バルブが確実に閉位置にされる。閉位置は、バルブアセンブリ又は複数のバルブアセンブリを作動させることによって、又は、閉位置に付勢されたバルブを設けることによって、達成することができる。一実施形態において、最も低い分岐ライン圧力は、圧力センサ１１０，２１０及び／又は６１０からの入力を比較することにより決定することができる。上述したように、最も低い圧力に関連する制御バルブを開放することにより、ポンプ１２に生じるノイズを最も低くする。高圧力を維持するアキュムレータを含む図２に示す特定の構成では、第１油圧分岐回路１００は、通常、第２油圧分岐回路２００より低い圧力になっている。このため、ノイズ低減制御アルゴリズムが開始されたとき、分岐回路圧力の直接比較を実施することに代えて、又は、これに加えて、第１制御バルブアセンブリ１０２を開放するデフォルトのバルブアセンブリとして選択してもよい。さらにドレンバルブアセンブリ７０２を含む図４に示す特定の構成では、代替ステップ１００８ａがステップ１００８に代えて実施されてもよい。ステップ１００８ａにおいて、ノイズ低減アルゴリズムがステップ１００６で実行されたとき、ドレンバルブアセンブリ７０２は、最小限のポンプ流量がリザーバに戻ることを可能にするように開放され、このとき、油圧分岐回路に関連するバルブアセンブリは、閉位置に指令される、又は、デフォルトの閉位置に保持される。
【００３０】
上述の方法は、ノイズ低減制御の方法のいかなるタイプも実行しない一般的な油圧システムと比較して、油圧ポンプからの放射音を相当低減することができる。
【００３１】
上述の様々な実施形態は、説明の目的のために提供され、本明細書に添付された特許請求の範囲を限定することと解釈するべきでない。当業者は、本明細書に説明された、及び、記載された例示的な実施形態及び用途に従うことなくなされる様々な改良及び変更を容易に認識し、本発明の技術的思想及び技術的範囲から逸脱することなく、実施することができる。
【図１】
2017522480.tif 000003
【図２】
2017522480.tif 000004
【図３】
2017522480.tif 000005
【図４】
2017522480.tif 000006
【図５】
2017522480.tif 000007
【図６】
2017522480.tif 000008
【国際調査報告】
2017522480.tif 000009
2017522480.tif 000010